(57)【要約】【課題】  複数本のライトガイドが挿入部を挿通する内視鏡装置を解体するとき、先端部以外の部分に固定された長物部材に対して、ライトガイドが絡まるのを防止した内視鏡装置を提供することを目的とする。【解決手段】  光源から入射端面に入射された照射光を、内視鏡の先端部に固定した出射端面から出射するライトガイド１を備える内視鏡装置において、複数本のライトガイド１が挿入部を挿通し、該ライトガイド１が合流部１Ａで一つにまとまって光源へ延びるとともに、前記合流部１Ａが、先端部以外の部分に固定された長物部材の基端面よりも先端部側に設けられていることを特徴とする内視鏡装置。【選択図】  図１
2005270560.tif 000002
【特許請求の範囲】
【請求項１】
光源から入射端面に入射された照射光を、内視鏡の先端部に固定した出射端面から出射するライトガイド（１）を備える内視鏡装置において、
複数本のライトガイド（１）が挿入部を挿通し、該ライトガイド（１）が合流部（１Ａ）で一つにまとまって光源へ延びるとともに、
前記合流部（１Ａ）が、先端部以外の部分に固定された長物部材の基端面よりも先端部側に設けられていることを特徴とする内視鏡装置。
【請求項２】
湾曲部に先端面が固定されたアングルワイヤの基端面（２２ａ、２２ｂ）よりも先端部側に、ライトガイドの合流部（１Ａ）を設けたことを特徴とする請求項１に記載の内視鏡装置。
【発明の詳細な説明】
【技術分野】
【０００１】
この発明は、複数本のライトガイドが挿入部を挿通する内視鏡装置に関する。
【背景技術】
【０００２】
患者の体腔内、例えば消化管内や血管内を撮影する内視鏡装置として、光源から入射端面に入射された照射光を内視鏡先端部に固定した出射端面から出射するライトガイドを備えるものが知られている。前記内視鏡装置では、ライトガイドで照射した撮像対象を撮影することができる。
そして従来技術の内視鏡装置によれば、複数本のライトガイドを挿入部に挿通させるとともに、該ライトガイドの各出射端面から出射する照射光の光量をそれぞれ調節して撮影対象を照射することによって、該撮影対象を撮像素子で撮影したときに、全体的に安定したコントラストの画像を取得していた（例えば、特許文献１を参照）。
また、光源から入射される照射光の光量を大きくし、出射端面から照射される照射光の光量を大きくする場合、大口径のライトガイドを挿入部に挿通させるよりも、複数本のライトガイドを挿入部に挿通させたほうが、挿入部内での配置自由度が向上し、挿入部の径小化を図ることができる。
【特許文献１】特開平１１−２９０２６８号公報（図１）
【０００３】
図６を参照して従来技術による内視鏡装置を説明する。
図６は、内視鏡の先端部に出射端面が固定されたライトガイドと、湾曲部に先端面が固定されている２本のアングルワイヤとを示し、内視鏡の挿入部内に内蔵されるその他の部材（例えば、ＣＣＤからなる撮像素子など）については、図略してある。
図６に示す内視鏡装置１００は、光源から入射端面に入射された照射光を、内視鏡の先端部に固定された出射端面から出射するライトガイド１０１を備え、挿入部を挿通する複数本のライトガイド１０１の各出射端面が先端部に配置されるとともに、複数本のライトガイド１０１が合流部１０１Ａで一つにまとめられ、光源へ向かって延びている。
また図６に示す内視鏡装置１００は、内視鏡の湾曲部に固定されたアングルパイプ１０３に案内され、湾曲部先端から操作部に向かって延びる２本のアングルワイヤ１０２ａ，１０２ｂを備える。このアングルワイヤ１０２ａ，１０２ｂは、軟性部及び湾曲部を挿通し、先端面１２１ａ，１２１ｂが湾曲部先端に固定されるとともに、基端面１２２ａ，１２２ｂがプーリ１０４に巻き回されているワイヤ１０２ｃ，１０２ｄの各端面に接続されている。そして、湾曲部左先端に先端面１２１ａが固定されたアングルワイヤ１０２ａ、若しくは湾曲部右先端に先端面１２１ｂが固定されたアングルワイヤ１０２ｂの何れか一方が、操作部に固定されているプーリ１０４の回動によって牽引されることによって、湾曲部が左側若しくは右側に湾曲する。
【発明の開示】
【発明が解決しようとする課題】
【０００４】
複数本のライトガイドが挿入部を挿通する内視鏡装置では、各出射端面から出射される照射光の光量を調整したり、挿入部内におけるライトガイドの配設自由度を向上させて挿入部を細くしたりすることができる。
しかしながら、前記内視鏡装置では、挿入部を挿通する複数本のライトガイドが合流部で一つにまとめられて光源へ向かって延びているため、挿入部内に内蔵される部材を修理するために内視鏡装置を解体するとき、先端部に固定されているライトガイドが、先端部以外の部分に固定された長物部材、例えば、湾曲部に固定されているアングルワイヤに対して絡まってしまう虞があった。
例えば、挿入部を挿通するライトガイドを修理するために内視鏡装置を解体し、湾曲部先端に装着されている先端部を取り外してライトガイドを取り出す際、複数本のライトガイドが一つにまとまった合流部が、湾曲部に固定されているアングルワイヤの基端面から２本のアングルワイヤの間に入り込むと、アングルワイヤとライトガイドとが絡まってしまい、ライトガイドを先端側に引き抜くことができない。
また例えば、ライトガイドとアングルワイヤとが絡まっていると、内視鏡装置を解体して湾曲部先端から先端部を取り外すときに、先端部に固定されているライトガイドが無理に引っ張られて破損する虞があった。
【０００５】
この発明は、内視鏡装置を修理するために解体するとき、先端部以外の部分に固定された長物部材に対して、出射端面が先端部に固定されたライトガイドが絡まるのを防止した内視鏡装置を提供することを目的とする。
【課題を解決するための手段】
【０００６】
上述の目的を達成するため、この発明は、光源から入射端面に入射された照射光を、内視鏡の先端部に固定した出射端面から出射するライトガイドを備える内視鏡装置において、複数本のライトガイドが挿入部を挿通し、該ライトガイドが合流部で一つにまとまって光源へ延びるとともに、前記合流部を、先端部以外の部分に固定された長物部材の基端面よりも先端部側に設けたものである。
【発明の効果】
【０００７】
この発明によれば、挿入部を挿通する複数本のライトガイドの合流部を、先端部以外の部分に固定された長物部材、例えば湾曲部に固定されたアングルワイヤの基端面よりも先端部側に設けることによって、内視鏡装置を解体して、湾曲部先端に装着されている先端部を取り外す際に、前記先端部に出射端面が固定されているライトガイドの合流部が、湾曲部に固定されているアングルワイヤの基端面から、２本のアングルワイヤの間に入り込むことがなく、前記アングルワイヤとライトガイドとが絡まる虞がない。
【発明を実施するための最良の形態】
【０００８】
以下にこの発明の実施形態について、図面を参照して説明する。
なお、この発明において「合流部」とは、複数本のライトガイドが挿入部を挿通する内視鏡装置において、光源に向かって延びる複数本のライトガイドが一つにまとめられる部分をいうと定義する。また「収束部」とは、先端部に向かって延びる複数本のライトガイドが一つにまとめられる部分をいうと定義する。
【０００９】
以下に説明する実施形態では、先端部以外の部分に固定された長物部材として、湾曲部に固定される２本のアングルワイヤ２ａ，２ｂを例示する。
また図１乃至図５において、内視鏡の先端部に出射端面が固定されたライトガイド１と、湾曲部に先端面２１ａ，２１ｂが固定される２本のアングルワイヤ２ａ，２ｂとを示し、挿入部内に内蔵されているその他の部材（例えば、ＣＣＤなどの撮像素子）については、図略してある。
【００１０】
図１を参照して、この発明の第１実施例による内視鏡装置１０を説明する。
図１は、光源から入射端面に入射された照射光を、内視鏡の先端部に固定した出射端面から出射するライトガイド１を備える内視鏡装置１０において、先端部と湾曲部と軟性部とからなる挿入部を２本のライトガイドが挿通し、該ライトガイド１の各出射端面１１，１２が先端部に配置されるとともに、挿入部を挿通する２本のライトガイド１が合流部１Ａで一つにまとめられ、光源へ向かって延びている。なお、図１に示す実施例では、２本のライトガイド１が挿入部を挿通しているが、それ以上のライトガイドを挿通させてもよい。
【００１１】
また図１に示す内視鏡装置１０は、内視鏡の湾曲部に固定されたアングルパイプ３に案内され、湾曲部先端から操作部に向かって延びる２本のアングルワイヤ２ａ，２ｂを備える。このアングルワイヤ２ａ，２ｂは、軟性部及び湾曲部を挿通し、先端面２１ａ，２１ｂが湾曲部先端に固定されるとともに、基端面２２ａ，２２ｂがプーリ４に巻き回されているワイヤ２ｃ，２ｄの各端面に接続されている。
そして、湾曲部左先端に先端面が固定されたアングルワイヤ２ａ、若しくは湾曲部右先端に先端面が固定されたアングルワイヤ２ｂの何れか一方が、操作部に固定されているプーリ４の回動によって牽引されることによって、湾曲部が左側若しくは右側に湾曲する。
【００１２】
この実施例は、複数本のライトガイドが挿入部を挿通する内視鏡装置１０において、挿入部を挿通する複数本のライトガイド１の各出射端面がそれぞれ先端部に固定されるとともに、複数本のライトガイド１が、アングルワイヤ２ａ，２ｂの基端面２２ａ，２２ｂよりも先端部側に設けた合流部１Ａで一つにまとめられ、光源へ向かって延びている。
湾曲部に固定されたアングルワイヤの基端面２２ａ，２２ｂよりも先端部側に合流部１Ａを設けることによって、内視鏡装置を解体するときに、先端部に固定されたライトガイド１がアングルワイヤ２ａ，２ｂに対して絡まる虞がない。
【００１３】
続いて、複数本のライトガイドが挿入部を挿通する内視鏡装置を解体した状態を、図２及び図３を参照して説明する。
【００１４】
内視鏡の挿入部内に内蔵される長物部材が破損等した場合、内視鏡装置を解体し、破損した部材を取り出して修理する必要がある。
内視鏡装置を解体する場合、先ず、先端部と湾曲部と軟性部とからなる挿入部から操作部を取り外し、次に、湾曲部先端から先端部を取り外す。
特に、ライトガイドを交換する場合は、湾曲部先端から先端部を取り外した後、ライトガイドを先端側に引き抜く。
【００１５】
図２は、ライトガイド１の合流部１Ａが、アングルワイヤの基端面２２ａ，２２ｂよりも先端部側（出射端面側）に設けられた内視鏡装置１０を解体した状態を説明する図である。
図３は、ライトガイド１０１の合流部１０１Ａが、アングルワイヤの基端面１２２ａ，１２２ｂよりも光源側（入射端面側）に設けられた内視鏡装置１００を解体した状態を説明する図である。
【００１６】
図２（ａ）及び図３（ａ）は、先端部と湾曲部と軟性部とからなる挿入部から操作部を取り外した状態を示す図である。
操作部と挿入部とを離すとき、操作部に固定されたプーリ４に巻き回したワイヤ２ｃ，２ｄの各端面に接続したアングルワイヤ２ａ，２ｂを、基端面２２ａ，２２ｂで切り離し、湾曲部先端に先端面２１ａ，２１ｂが固定されたアングルワイヤ２ａ，２ｂを、挿入部とともに取り出す。また出射端面が先端部に固定されているライトガイド１も、挿入部とともに取り出す。
【００１７】
図２（ｂ）及び図３（ｂ）は、湾曲部先端に装着されている先端部を取り外し、該先端部に固定されているライトガイド１とともに引き抜いた状態を示す図である。
図２（ｂ）に示すように、ライトガイドの合流部１Ａがアングルワイヤの基端面よりも先端部側（出射端面側）に設けられた内視鏡装置では、湾曲部先端から先端部を取り外したときに、ライトガイドの合流点１Ａが２本のアングルワイヤ２ａ，２ｂの間に入り込んで、ライトガイド１とアングルワイヤ２ａ，２ｂとが絡まることはない。
【００１８】
一方、図３（ｂ）に示すように、ライトガイドの合流部１０１Ａがアングルワイヤの基端面１２２ａ，１２２ｂよりも光源側（入射端面側）に設けられた従来技術の内視鏡装置では（図６を参照）、湾曲部先端から先端部を取り外したときに、ライトガイドの合流点１０１Ａが２本のアングルワイヤ２ａ，２ｂの間に入り込む虞があり、ライトガイド１０１とアングルワイヤ１０２ａ，１０２ｂとが絡まる虞がある。
【００１９】
すなわち第１実施例の内視鏡装置１０は、複数本のライトガイド１が挿入部を挿通しているため、各出射端面から出射される照射光の光量を調整したり、挿入部内におけるライトガイドの配設自由度を向上させて挿入部を径小化することができるとともに、ライトガイドの合流部１Ａがアングルワイヤの基端面２２ａ，２２ｂよりも先端部側に設けられているため、内視鏡装置を解体するときにライトガイドとアングルワイヤとが絡まらず、湾曲部先端から先端部を取り外すときに、先端部に固定されているライトガイドが無理に引っ張られて破損する虞や、アングルワイヤと絡まったライトガイドが引き抜けないなどの虞がない。
【００２０】
次に、この発明の第２実施例による内視鏡装置について図４を参照して説明する。
この実施例では、第１実施例と同様に、光源から入射端面に入射された照射光を、内視鏡の先端部に固定した出射端面から出射するライトガイド１を備える内視鏡装置１０´において、先端部と湾曲部と軟性部とからなる挿入部を複数本のライトガイドが挿通し、該ライトガイド１が合流部１Ａで一つにまとめられ、光源へ向かって延びている。
そしてこの実施例では、挿入部を挿通する複数本のライトガイド１の各出射端面が収束部１Ｂで一つにまとめられ、この一つにまとめられた出射端面１３が先端部に固定されている。
また、挿入部を挿通する複数本のライトガイド１は、アングルワイヤ２ａ，２ｂの基端面２２ａ，２２ｂよりも先端部側に設けた合流部１Ａで一つにまとめられ、光源へ向かって延びている。
【００２１】
なお、収束部１Ｂで一つにまとめられた出射端面１３を先端部に固定した内視鏡装置１０´において、図５に示すように、先端部に設けたプリズム５によって、一つの出射端面１３から出射される照射光を２つ以上に分光させてもよい。
【００２２】
図４に示す内視鏡装置１０´も、湾曲部に固定されたアングルワイヤの基端面２２ａ，２２ｂよりも先端部側に設けた合流部１Ａによって、挿入部を挿通する複数本のライトガイドが一つにまとめられて光源へ向かって延びているため、内視鏡装置を解体するときに、先端部に固定されたライトガイド１がアングルワイヤ２ａ，２ｂに対して絡まる虞がない。
【図面の簡単な説明】
【００２３】
【図１】この発明の第１実施例による内視鏡装置を示す図である。
【図２】図１に示す内視鏡装置を解体したときの説明図である。
【図３】図６に示す内視鏡装置を解体したときの説明図である。
【図４】この発明の第２実施例による内視鏡装置を示す図である。
【図５】先端部の他の例を示す図である。
【図６】従来技術による内視鏡装置を示す図である。
【符号の説明】
【００２４】
１    ライトガイド
１１，１２，１３    出射端面
１Ａ  合流部
１Ｂ  収束部
２ａ，２ｂ    アングルワイヤ
２１ａ，２１ｂ    先端面
２２ａ，２２ｂ    基端面
３    アングルパイプ
４    プーリ
５    プリズム
１０，１０´    内視鏡装置
【図１】
2005270560.tif 000003
【図２】
2005270560.tif 000004
【図３】
2005270560.tif 000005
【図４】
2005270560.tif 000006
【図５】
2005270560.tif 000007
【図６】
2005270560.tif 000008